(57)【要約】【課題】室内機の下面の大型化とショートサーキットとを抑制させながら、吹出口から吹き出される調和空気の到達距離を増大させることが可能な空気調和装置の室内機を提供する。【解決手段】空気調和装置１の室内ユニット４は、室内機ケーシング３１および風向調節部７０を備えている。室内機ケーシング３１は、吸込口３５、および、吸込口３５側の縁が吸込口３５側に向けて膨らんでいる長辺吹出口５１〜５４を有している。風向調節部７０は、長辺吹出口５１〜５４の少なくとも一部を覆い、吸込口３５側の縁が吸込口３５側に向けて膨らんだ形状を有している。【選択図】図１１
2011099612.tif 000002
【特許請求の範囲】
【請求項１】
空気調和装置（１）の室内機（４）であって、
吸込口（３５）と、前記吸込口（３５）側の縁が前記吸込口（３５）側に向けて膨らんでいる吹出口（５０）と、を有する室内機ケーシング（３１）と、
前記吹出口（５０）の少なくとも一部を覆い、前記吸込口（３５）側の縁が前記吸込口（３５）側に向けて膨らんでいる風向調節部材（７０）と、
を備えた空気調和装置（１）の室内機（４）。
【請求項２】
前記吹出口（５０）単独で、前記風向調節部材（７０）単独で、もしくは、前記吹出口（５０）および前記風向調節部材（７０）が協同することで、前記吹出口（５０）の長手方向端部近傍から吹き出される空気流れ方向を、前記吹出口（５０）の長手方向中央から吹き出される空気流れ方向よりも下方に向ける構造を有し、
天井埋め込み型である、
請求項１に記載の空気調和装置（１）の室内機（４）。
【請求項３】
前記吹出口（５０）は、長手方向の端部近傍の縁面の傾斜が、長手方向の中央の縁面の傾斜よりもきつくなるように形成されている、
請求項２に記載の空気調和装置（１）の室内機（４）。
【請求項４】
前記吹出口（５０）は、長手方向端部近傍において、端部に向かうほど幅方向の長さが短くなるように形成されることで前記膨らみを形成しており、
前記風向調節部材（７０）は、長手方向端部近傍において、端部に向かうほど幅方向の長さが短くなるように形成されることで前記膨らみを形成している、
請求項２または３のいずれか１項に記載の空気調和装置（１）の室内機（４）。
【請求項５】
前記吹出口（５０）の長手方向の端部における幅方向の長さは、長手方向の中央における幅方向の長さの４０〜８０％であり、
前記吹出口（５０）は、長手方向端部近傍の前記膨らみ部分同士を接続する直線形状部分（３７ａ）を有しており、
前記風向調節部材（７０）の長手方向の端部における幅方向の長さは、長手方向の中央における幅方向の長さの２０〜６０％であり、
前記風向調節部材（７０）は、長手方向端部近傍の前記膨らみ部分同士を接続する直線形状部分（８０ａ）を有している、
請求項４に記載の空気調和装置（１）の室内機（４）。
【請求項６】
前記吹出口（５０）の前記吸込口（３５）側への膨らみ度合いは、少なくとも前記吹出口（５０）の前記吸込口（３５）側とは反対側への膨らみ度合いよりも大きく、
前記風向調節部材（７０）の前記吸込口（３５）側への膨らみ度合いは、少なくとも前記風向調節部材（７０）の前記吸込口（３５）側とは反対側への膨らみ度合いよりも大きい、
請求項４または５に記載の空気調和装置（１）の室内機（４）。
【請求項７】
前記吹出口（５０）は、前記吹出口（５０）の内側に向けて窪んだ形状を有さず、
前記風向調節部材（７０）の縁は、前記風向調節部材（７０）の内側に向けて窪んだ形状を有していない、
請求項２から６のいずれか１項に記載の空気調和装置（１）の室内機（４）。
【請求項８】
前記風向調節部材（７）の前記吸込口（３５）側は、前記吹出口（５０）の前記吸込口（３５）側に沿うようにして形成されている、
請求項１から７のいずれか１項に記載の空気調和装置（１）の室内機（４）。
【請求項９】
前記風向調節部材（７０）が設けられた前記吹出口（５０）は、前記吸込口（３５）を取り囲むように少なくとも４つ設けられている、
請求項１から８のいずれか１項に記載の空気調和装置（１）の室内機（４）。
【請求項１０】
前記風向調節部材（７０）が設けられた前記吹出口（５０）以外に、さらに前記吹出口（５０）同士の間に設けられた連続吹出口（６０）をさらに備えた、
請求項９に記載の空気調和装置（１）の室内機（４）。
【請求項１１】
前記風向調節部材（７０）の姿勢を調節することで前記吹出口（５０）から吹き出される風向を調節する風向調節制御部（７）をさらに備え、
前記風向調節制御部（７）は、空調運転の停止時に、前記吹出口（５０）を閉じるように前記風向調節部材（７０）の姿勢を調節する、
請求項１から１０のいずれか１項に記載の空気調和装置（１）の室内機（４）。
【発明の詳細な説明】
【技術分野】
【０００１】
本発明は、空気調和装置の室内機に関する。
【背景技術】
【０００２】
空気調和装置の室内機としては、例えば、特許文献１（特開２００２−３４９８９２号公報）に記載されているように、吸込口の周りに吹出口が設けられたものがある。このような空気調和装置の室内機では、各吹出口から吹き出される調和空気によって、対象空間の広範囲を調和させることができる。
【発明の概要】
【発明が解決しようとする課題】
【０００３】
上述の特許文献１（特開２００２−３４９８９２号公報）に記載の空気調和装置の室内機では、吹出口の形状が、幅方向の長さよりも長手方向の長さがかなり長くなるように形成された長方形である。このため、吹出口から吹き出される調和空気をより遠くへ到達させることが困難である。
【０００４】
これに対して、吹出口の形状について、長手方向の長さに対する幅方向の長さを相対的に増大させることで、調和空気の遠方到達性を向上させることも考えられる。
【０００５】
しかし、幅方向の長さを増大させる場合には、室内機の下面の大型化を招いてしまう。
【０００６】
これに対しては、吹出口の形状を吸込口側に広げることで、室内機の下面の大型化を抑制させつつ、調和空気の遠方到達性を向上させることができる。
【０００７】
ところが、このように吹出口の形状を吸込口側に広げてしまうと、吹出口から吹き出された調和空気が、すぐに、近くの吸込口から吸入されてしまうというショートサーキットの問題が生じる。
【０００８】
本発明は上記事情に鑑みてなされたものであり、本発明の課題は、室内機の下面の大型化とショートサーキットとを抑制させながら、吹出口から吹き出される調和空気の到達距離を増大させることが可能な空気調和装置の室内機を提供することにある。
【課題を解決するための手段】
【０００９】
第１発明の空気調和装置の室内機は、室内機ケーシングおよび風向調節部材を備えている。室内機ケーシングは、吸込口、および、吸込口側の縁が吸込口側に向けて膨らんでいる吹出口を有している。風向調節部材は、吹出口の少なくとも一部を覆い、吸込口側の縁が吸込口側に向けて膨らんでいる。
【００１０】
この空気調和装置の室内機は、吹出口が吸込口側に膨らんで形成されているため、気流束を太くし、吹出口の中央近傍を通過する調和空気の初速度を維持しやすくすることにより、調和空気の到達距離を増大させることができる。そして、吹出口の膨らんでいる方向が、吸込口側であるため、室内機の下面の大型化を抑制させることができている。さらに、このように吹出口を吸込口側に膨らませたことにより吹出口と吸込口との距離は近づいてしまうが、風向調節部材の吸込口側の形状が、吹出口と同様に、吸い込み口側に膨らんだ形状となっているため、吹出口のうちの吸込口側の部分から吸込口に向かう空気流れを遮断しやすく、ショートサーキットを抑制させることができている。これにより、室内機の下面の大型化とショートサーキットとを抑制させながら、吹出口から吹き出される調和空気の到達距離を増大させることが可能になる。
【００１１】
第２発明の空気調和装置の室内機は、第１発明の空気調和装置の室内機において、天井埋め込み型である。そして、吹出口の長手方向端部近傍から吹き出される空気流れ方向を、吹出口の長手方向中央から吹き出される空気流れ方向よりも下方に向ける構造を有している。この吹出口の長手方向端部近傍から吹き出される空気流れ方向を吹出口の長手方向中央から吹き出される空気流れ方向よりも下方に向けることは、吹出口単独で、風向調節部材単独で、もしくは、吹出口および風向調節部材が協同することにより可能となる。
【００１２】
一般に、吹出口の長手方向端部近傍は、長手方向中央近傍と比較して空気流れが遅く、天井面に沿うように空気が流れがちになる。
【００１３】
これに対して、この空気調和装置の室内機では、吹出口の長手方向端部近傍から吹き出される調和空気は、中央から吹き出される調和空気よりも、天井面から離れる方向に案内させることができている。これにより、天井汚れを抑制させることができる。
【００１４】
第３発明の空気調和装置の室内機は、第２発明の空気調和装置の室内機において、吹出口は、長手方向の端部近傍の縁面の傾斜が、長手方向の中央の縁面の傾斜よりもきつくなるように形成されている。
【００１５】
この空気調和装置の室内機は、風向調節部材がどのような方向を向いていても、吹出口の長手方向端部近傍から吹き出される空気流れ方向を、天井面から離れる方向に案内させることができるため、天井汚れ防止効果をより確実に得ることができる。
【００１６】
第４発明の空気調和装置の室内機は、第２発明または第３発明のいずれかの空気調和装置の室内機において、吹出口の膨らみは、長手方向端部近傍において、端部に向かうほど幅方向の長さが短くなることで形成されている。風向調節部材の膨らみは、長手方向端部近傍において、端部に向かうほど幅方向の長さが短くなることで形成されている。
【００１７】
この空気調和装置の室内機は、吹出口の長手方向端部に向かうほど幅方向の長さが短く形成されているため、吹出口中央を通過する空気流れの気流束が太く、初速度をより維持しやすくすることができ、吹出口から吹き出される調和空気の到達距離をより効果的に増大させることが可能になる。
【００１８】
第５発明の空気調和装置の室内機は、第４発明の空気調和装置の室内機において、吹出口の長手方向の端部における幅方向の長さは、長手方向の中央における幅方向の長さの４０〜８０％である。吹出口は、長手方向端部近傍の膨らみ部分同士を接続する直線形状部分を有している。風向調節部材の長手方向の端部における幅方向の長さは、長手方向の中央における幅方向の長さの２０〜６０％である。風向調節部材は、長手方向端部近傍の膨らみ部分同士を接続する直線形状部分を有している。
【００１９】
この空気調和装置の室内機は、吹出口が、端部よりも幅が広い直線形状部分を有しているため、調和空気の到達距離を増大させることができる。そして、風向調節部材についても同様の形状となっているため、このような吹出口を通過する調和空気の風向調節機能を確保することができる。これにより、風向調節機能を確保しつつ、調和空気の到達距離を増大させることが可能になる。
【００２０】
第６発明の空気調和装置の室内機は、第４発明または第５発明の空気調和装置の室内機において、吹出口の前記吸込口側への膨らみ度合いは、少なくとも吹出口の前記吸込口側とは反対側への膨らみ度合いよりも大きい。風向調節部材の吸込口側への膨らみ度合いは、少なくとも風向調節部材の吸込口側とは反対側への膨らみ度合いよりも大きい。
【００２１】
この空気調和装置の室内機は、吹出口は、長手方向端部に近づくほど吹き出し風速が低くなりショートサーキットを生じやすくなるが、長手方向端部に向かうにつれて吸込口との距離が遠くなるように形成されているため、ショートサーキットを抑制させつつ、吹出口の中央からの吹き出し気流束が太く、その初速度を維持しやすくすることで、吹出口から吹き出される調和空気の到達距離をより効果的に増大させることが可能になる。また、風向調節部材は、長手方向端部近傍において吸込口側を切り欠くような形状とすることなく、吹出口の形状と同様に、吸込口側の膨らみ度合いを上げている。このため、風向調節部材の長手方向端部近傍における吸込口側部分と、吹出口の長手方向端部近傍における吸込口側部分との間から漏れ出す空気が引き起こすショートサーキットを抑制させることができる。
【００２２】
第７発明の空気調和装置の室内機は、第２発明から第６発明のいずれかの空気調和装置の室内機において、吹出口は、吹出口の内側に向けて窪んだ形状部分を有していない。風向調節部材の縁は、風向調節部材の内側に向けて窪んだ形状部分を有していない。
【００２３】
この空気調和装置の室内機は、内側に窪んだ形状部分を有していないため、天井汚れをより効果的に防止することが可能になる。
【００２４】
第８発明の空気調和装置の室内機は、第１発明から第７発明のいずれかの空気調和装置の室内機において、風向調節部材の吸込口側は、吹出口の吸込口側に沿うようにして形成されている。
【００２５】
この空気調和装置の室内機は、吹出口の吸込口側端部から、吸込口側に向けて流れるショートサーキットをより効果的に防止させることができ、吹出口と風向調節部材との形状関係について意匠性を向上させることもできる。
【００２６】
第９発明の空気調和装置の室内機は、第１発明から第８発明のいずれかの空気調和装置の室内機において、風向調節部材が設けられた吹出口は、吸込口を取り囲むように少なくとも４つ設けられている。
【００２７】
この空気調和装置の室内機は、調和空気を４方向に吹き出せるため、調和可能な対象空間を広く確保することができる。
【００２８】
第１０発明の空気調和装置の室内機は、第９発明の空気調和装置の室内機において、連続吹出口をさらに備えている。連続吹出口は、風向調節部材が設けられた吹出口以外に、さらに吹出口同士の間に設けられている。
【００２９】
この空気調和装置の室内機は、連続吹出口をさらに備えることで、室内機の周囲にまんべんなく調和空気を提供することが可能になる。そして、このように連続吹出口が設けられることで調和空気が吹き出される合計面積が大きくなると、風向調節部材が設けられた吹出口を通過する調和空気の初速度を維持しにくいおそれがあるが、その場合であっても、吹出口の形状について内側に膨らんだ形状を採用していることで、吹出口からの調和空気の初速度の低下程度を小さく抑えることが可能になる。
【００３０】
第１１発明の空気調和装置の室内機は、第１発明から第１０発明のいずれかの空気調和装置の室内機において、風向調節制御部をさらに備えている。風向調節制御部は、風向調節部材の姿勢を調節することで吹出口から吹き出される風向を調節する。風向調節制御部は、空調運転の停止時に、吹出口を閉じるように風向調節部材の姿勢を調節する。
【００３１】
この空気調和装置の室内機は、空調運転の停止時には、吹出口の内部が風向調節部材によって隠されるため、室内機の中身が見えにくく、意匠性を向上させることができる。
【発明の効果】
【００３２】
第１発明の空気調和装置の室内機では、室内機の下面の大型化とショートサーキットとを抑制させながら、吹出口から吹き出される調和空気の到達距離を増大させることが可能になる。
【００３３】
第２発明の空気調和装置の室内機では、天井汚れを抑制させることができる。
【００３４】
第３発明の空気調和装置の室内機では、天井汚れ防止効果をより確実に得ることができる。
【００３５】
第４発明の空気調和装置の室内機では、吹出口から吹き出される調和空気の到達距離をより効果的に増大させることが可能になる。
【００３６】
第５発明の空気調和装置の室内機では、風向調節機能を確保しつつ、調和空気の到達距離を増大させることが可能になる。
【００３７】
第６発明の空気調和装置の室内機では、吹出口の中央から吹き出される空気流れの気流束を太くし、初速度を維持しやすくすることができ、調和空気の到達距離を増大させることが可能になる。
【００３８】
第７発明の空気調和装置の室内機では、天井汚れをより効果的に防止することが可能になる。
【００３９】
第８発明の空気調和装置の室内機では、意匠性を向上させつつ、ショートサーキットを抑制させることができる。
【００４０】
第９発明の空気調和装置の室内機では、調和可能な対象空間を広く確保することができる。
【００４１】
第１０発明の空気調和装置の室内機では、調和空気の到達距離の低下を抑えつつ、調和空気を周囲にまんべん無く供給することができる。
【００４２】
第１１発明の空気調和装置の室内機では、空調運転の停止時には、吹出口の内部が風向調節部材によって隠されるため、室内機の中身が見えにくく、意匠性を向上させることができる。
【図面の簡単な説明】
【００４３】
【図１】本発明の一実施形態にかかる空気調和装置の冷房運転状態を示す冷媒回路の概略図である。
【図２】空気調和装置の室内ユニットの外観斜視図である。
【図３】空気調和装置の室内ユニットの平面視概略断面図である。
【図４】空気調和装置の室内ユニットにおける、図３中のＡ−Ｏ−Ａ切断面における概略断面図である。
【図５】底板の下面視外観構成図である。
【図６】空気調和装置の室内ユニットにおける下面視外観構成図である。
【図７】内枠化粧パネルの下面視外観構成図である。
【図８】外枠化粧パネルの下面視外観構成図である。
【図９】風向調節部の側面視断面図である。
【図１０】風向調節部の外観斜視図である。
【図１１】第１長辺吹出口近傍における下面視部分拡大外観図である。
【図１２】図１１中のＢ−Ｂ切断面における第１長辺吹出口近傍であって、独立風向制御時もしくは連動風向制御時における風向調節部の姿勢状態の一例を示す概略断面図である。
【図１３】図１１中のＣ−Ｃ切断面における第１長辺吹出口近傍であって、独立風向制御時もしくは連動風向制御時における風向調節部の姿勢状態の一例を示す概略断面図である。
【図１４】風量抑制制御のイメージ図である。
【図１５】図１１中のＢ−Ｂ切断面における第１長辺吹出口近傍であって、風量抑制制御時における風向調節部の姿勢状態の一例を示す概略断面図である。
【図１６】従来の空気調和装置の室内機の外観斜視図である。
【図１７】従来の空気調和装置の室内機の下面視外観構成図である。
【発明を実施するための形態】
【００４４】
以下、本発明の一実施形態にかかる天井設置型空気調和装置について、図面に基づいて説明する。
【００４５】
＜１＞空気調和装置１
図１は、本発明の一実施形態にかかる室内機が採用された空気調和装置１の概略構成図である。
【００４６】
空気調和装置１は、室内機のタイプが天井に埋め込まれることで設置されるタイプであり、８つの吹出口を有し、そのうち４つの吹出口に設けられた風向調節板の傾斜角度を風向調節板毎に独立して回動制御することができる。この空気調和装置１は、スプリットタイプの空気調和装置であり、主として、室外ユニット２、室内ユニット４、室外ユニット２と室内ユニット４とを接続する液冷媒連絡管５およびガス冷媒連絡管６、および、制御部７を有しており、蒸気圧縮式の冷媒回路１０を構成している。
【００４７】
＜１−１＞室外ユニット２
室外ユニット２は、室外等に設置されており、主として、圧縮機２１、四路切換弁２２、室外熱交換器２３、膨張弁２４、液側閉鎖弁２５、ガス側閉鎖弁２６、および、室外ファン２７を有している。
【００４８】
圧縮機２１は、低圧のガス冷媒を吸入し、圧縮して高圧のガス冷媒とした後に吐出するための圧縮機である。
【００４９】
四路切換弁２２は、冷房と暖房との切換時に、冷媒の流れの方向を切り換えるための弁である。四路切換弁２２は、冷房時には、圧縮機２１の吐出側と室外熱交換器２３のガス側とを接続するとともにガス側閉鎖弁２６と圧縮機２１の吸入側とを接続することが可能である（図１における四路切換弁２２の実線を参照）。また、四路切換弁２２は、暖房時には、圧縮機２１の吐出側とガス側閉鎖弁２６とを接続するとともに室外熱交換器２３のガス側と圧縮機２１の吸入側とを接続することが可能である（図１における四路切換弁２２の破線を参照）。
【００５０】
室外熱交換器２３は、冷房時には冷媒の凝縮器として機能し、暖房時には冷媒の蒸発器として機能する熱交換器である。室外熱交換器２３は、その液側が膨張弁２４に接続されており、ガス側が四路切換弁２２に接続されている。
【００５１】
膨張弁２４は、冷房時には室外熱交換器２３において凝縮された高圧の液冷媒を室内熱交換器４２（後述）に送る前に減圧し、暖房時には室内熱交換器４２において凝縮された高圧の液冷媒を室外熱交換器２３に送る前に減圧することが可能な電動膨張弁である。
【００５２】
液側閉鎖弁２５およびガス側閉鎖弁２６は、外部の機器・配管（具体的には、液冷媒連絡管５およびガス冷媒連絡管６）との接続口に設けられた弁である。液側閉鎖弁２５は、膨張弁２４に接続されている。ガス側閉鎖弁２６は、四路切換弁２２に接続されている。
【００５３】
室外ファン２７は、室外ユニット２の内部に配置され、室外空気を吸入して、室外熱交換器２３に室外空気を供給した後に、ユニット外に排出する空気流れを形成する。このため、室外熱交換器２３は、室外空気を冷却源又は加熱源として冷媒を凝縮や蒸発させる機能を有している。
【００５４】
＜１−２＞室内ユニット４
室内ユニット４は、本実施形態において、天井埋込型と呼ばれる型式の天井設置型空気調和装置の室内機であり、室内機ケーシング３１、室内ファン４１、室内熱交換器４２、ドレンパン４０、および、ベルマウス４１ｃ等を有している。
【００５５】
図２に、室内ユニット４の外観斜視図を示す。図３に、室内ユニット４の天板３３ａを取り除いた状態を示す概略平面図を示す。図４に、室内ユニット４の概略側面断面図であり、図３中にＡ−Ｏ−Ａで示す切断面における断面図に相当する。
【００５６】
室内機ケーシング３１は、ケーシング本体３１ａ、化粧パネル３２、および、風向調節部７０等から構成されている。
【００５７】
ケーシング本体３１ａは、図３および図４に示すように、空調室の天井Ｕに形成された開口に挿入されるようにして配置されており、その平面視において、長辺と短辺とが交互に形成された略８角形状の箱状体であり、下面が開口している。このケーシング本体３１ａは、長辺と短辺とが交互に連続して形成された略８角形状の天板３３ａと、天板３３ａの周縁部から下方に延びる側板３４と、天板３３ａおよび側板３４を下方から支える底板３３ｂと、を有している。側板３４は、天板３３ａの長辺に対応する側板３４ａ、３４ｂ、３４ｃ、３４ｄと、天板３３ａの短辺に対応する側板３４ｅ、３４ｆ、３４ｇ、３４ｈとから構成されている。側板３４ｈには、室内熱交換器４２と冷媒連絡管５、６とを接続するための液側接続管５ａおよびガス側接続管６ａが、貫通している。底板３３ｂは、化粧パネル３２等が取り付けられていない状態の下面図である図５に示すように、中央に略四角形の開口が設けられ、その周囲に複数の開口が設けられており、ケーシング本体３１ａの下面を構成する。この底板３３ｂは、図３に示すように、天板３３ａおよび側板３４よりも外側に広がって形成されており、下面側（室内側）に化粧パネル３２が取り付けられる。
【００５８】
なお、図４、図５および図３に示すように、ケーシング本体３１ａ内には、吸込口３５からケーシング本体３１ａ内部に空気を取り込むための吸込流路３５ａと、吸込流路３５ａの外側を取り囲むように配置されており略鉛直方向に伸びた形状であり調和空気を室内に吹き出すための各吹出流路５１ａ、５２ａ、５３ａ、５４ａ、６１ａ、６２ａ、６３ａ、６４ａが設けられている。
【００５９】
化粧パネル３２は、図２、図３および図４に示すように、天井Ｕの開口に嵌め込まれるようにして配置されており、平面視が略４角形状の板状体であり、主として、ケーシング本体３１ａの底板３３ｂに対して室内側から取り付けられることで、ケーシング本体３１ａの下端部に固定されている。化粧パネル３２は、室内ユニット４の下面図である図６に示すように、吸込グリル３２ａ、内枠化粧パネル３７、および、外枠化粧パネル３８によって構成され、吸込口３５および吹出口３６を有している。室内ユニット４の設置状態で、内枠化粧パネル３７の下端は、外枠化粧パネル３８の下端よりもやや下方に位置するように配置されている。
【００６０】
吸込グリル３２ａは、ケーシング本体３１ａの下面中央に配置された、略四角形状のパネルである。内枠化粧パネル３７は、室内側から見た下面図である図７に示すように、略四角形状の枠部材であり、吸込口３５と吹出口３６との間に配置される。内枠化粧パネル３７の内側の縁３７ｉは、略四角形状であって、角部分が丸みを帯びた形状となっている。内枠化粧パネル３７の外側の縁は、内枠吹出口側直線部３７ａ、内枠吹出口側湾曲部３７ｂ、および、開口内側膨出部３７ｃ等から構成されている。内枠吹出口側直線部３７ａは、内側の縁３７ｉの各４辺のそれぞれの中心近傍に対応する外側の位置に設けられ、内側の縁３７ｉの辺と略平行であって直線的に伸びている部分である。内枠吹出口側湾曲部３７ｂは、内枠化粧パネル３７のコーナーに近づくにつれて、縁がより外側に位置するように形成されており、内側に向けてなだらかに窪んだ凹形状となっている。開口内側膨出部３７ｃは、内枠化粧パネル３７のコーナー付近の外縁を構成しており、各コーナーが丸みを帯びた形状で外側に膨出した形状となっている。外枠化粧パネル３８は、ケーシング本体３１ａの下面の外縁を覆うように配置されており、吹出口３６の外側に配置されている。室内側から見た下面図である図８に示すように、外枠化粧パネル３８の外側の縁３８ｊは、略四角形状であって、ケーシング本体３１ａの底板３３ｂの縁に沿った形状となっており、コーナーが丸みを帯びている。外枠化粧パネル３８の内側の縁は、外枠吹出口側直線部３８ｄ、および、外枠吹出口側湾曲部３８ｅ等から構成されている。外枠吹出口側直線部３８ｄは、外側の縁３８ｊの各４辺のそれぞれの中心近傍に対応する内側の位置に設けられ、外側の縁３８ｊの辺と略平行であって直線的に伸びている部分である。外枠吹出口側湾曲部３８ｅは、外枠化粧パネル３８のコーナーに近づくにつれて、縁がより内側に位置するように形成されており、外側に向けてなだらかにふくらんだ凸形状となっている。このうち、外枠吹出口側直線部３８ｄの直線部分は、内枠吹出口側直線部３７ａの直線部分よりも短くなるように形成されており、内枠のうちの外枠吹出口側湾曲部３８ｅの比率が大きくなっているため、外枠吹出口側直線部３８ｄおよび外枠吹出口側湾曲部３８ｅの下面視は、円に近い形状となっている。
【００６１】
吸込口３５は、吸込グリル３２ａの略中央に設けられた略４角形状の開口である。この吸込口３５には、吸込口３５から吸入された空気中の塵埃を除去するためのフィルタ３９が設けられている。なお、吸込口３５のケーシング本体３１ａ内部側には、上述した吸込流路３５ａが繋がっている。
【００６２】
吹出口３６は、内枠化粧パネル３７と外枠化粧パネル３８との間であって、吸込口３５の周囲を取り囲むように設けられており、長辺吹出口５０および短辺吹出口６０から構成されている。長辺吹出口５０は、吸込口３５の略四角形状における各辺に対応する位置に設けられた第１長辺吹出口５１、第２長辺吹出口５２、第３長辺吹出口５３、および、第４長辺吹出口５４の４つの吹出口から構成されている。この長辺吹出口５０は、開口の内側に向けて縁部分を有さないように形成されている。長辺吹出口５０は、長手方向と、長手方向に直行する方向である幅方向と、の長さの差が従来の吹出口よりも小さくなるように（長さのアスペクト比が従来よりも小さくなるように）構成されているため、長辺吹出口５０の中央近傍から吹き出される空気流れの気流束を太くし、初速度を維持しやすくすることができている。短辺吹出口６０は、吸込口３５の略四角形状における角部分に対応する位置に設けられた第１短辺吹出口６１、第２短辺吹出口６２、第３短辺吹出口６３、および、第４短辺吹出口６４の４つの吹出口から構成されている。吹出口３６は、長辺吹出口５０と短辺吹出口５０とが交互に並べられながら、略環状に配置されている。なお、第１長辺吹出口５１、第２長辺吹出口５２、第３長辺吹出口５３および第４長辺吹出口５４には、それぞれ第１長辺吹出流路５１ａ、第２長辺吹出流路５２ａ、第３長辺吹出流路５３ａ、第４長辺吹出流路５４ａが繋がっている。また、第１短辺吹出口６１、第２短辺吹出口６２、第３短辺吹出口６３および第４短辺吹出口６４には、それぞれ第１短辺吹出流路６１ａ、第２短辺吹出流路６２ａ、第３短辺吹出流路６３ａ、第４短辺吹出流路６４ａが繋がっている。
【００６３】
第１長辺吹出口５１、第２長辺吹出口５２、第３長辺吹出口５３、第４長辺吹出口５４、第１短辺吹出口６１、第２短辺吹出口６２、第３短辺吹出口６３、および、第４短辺吹出口６４からは、それぞれ、室内ユニット４内で調和された空気流れＦ５１、Ｆ５２、Ｆ５３、Ｆ５４、Ｆ６１、Ｆ６２、Ｆ６３、Ｆ６４が、吹き出し風向を調節されながら吹き出される。
【００６４】
風向調節部７０は、軸方向視断面図である図９、および、主として室内側を向く面についての外観斜視図である図１０において示すように、回転軸方向に長い形状を有しており、空調室内に吹き出される調和空気の風向を調節する風向調節板として機能する。風向調節部７０は、本実施形態では、吹出口３６のうち、短辺吹出口６０には配置されることなく、長辺吹出口５０にのみ配置されている。この風向調節部７０は、第１長辺吹出口５１から吹き出される調和空気の風向を調節する第１風向調節部７１、第２長辺吹出口５２から吹き出される調和空気の風向を調節する第２風向調節部７２、第３長辺吹出口５３から吹き出される調和空気の風向を調節する第３風向調節部７３、および、第４長辺吹出口５４から吹き出される調和空気の風向を調節する第４風向調節部７４が設けられている。
【００６５】
風向調節部７０は、図９に示すように、フラップ本体８０、および、回転軸９０ｘを含んでいるアーム９０を有している。
【００６６】
フラップ本体８０は、回転軸９０ｘと略平行な方向に伸びて形成された板形状部材であって、アーム９０が取り付けられている側の面である裏面８０ｙとは反対側の面である表面８０ｘが、外側に突出した湾曲形状を有している。フラップ本体８０の外縁は、内側に向けて窪んだ形状部分を有さないように形成されている。フラップ本体８０は、図９に示すように、表面８０ｘが主として室内側（吹き出し空気流れ下流側）を向いている状態において、室内側に近づくにつれて回転軸９０ｘとの距離が短くなるように設けられており、室内側にから離れるにつれて（吹き出し空気流れ上流側に向かうにつれて）回転軸９０ｘとの距離が長くなるように設けられている。これにより、風向調節部７０が回転した場合に、フラップ本体８０の一端と他端とで異なる軌跡をたどることになる。フラップ本体８０の表面８０ｘには、図９に示すように、表面８０ｘが主として吹き出し空気流れ下流側を向いている状態における外側端部近傍部分において、フラップ本体８０の長手方向に伸びるようにして凹凸形状部８０ｘａが設けられている。なお、フラップ本体８０の表面８０ｘは、この凹凸形状部８０ｘａが設けられている部分以外は、なめらかな略平面によって構成されている。また、フラップ本体８０の裏面８０ｙには、パイル長さの異なる短繊維の混合物が均一に植毛してある植毛シート８０ｙａが貼付されている。この植毛シート８０ｙａは、フラップ本体８０の表面８０ｘが主として吹き出し空気流れ下流側を向いている状態で吹き出し風向を調節する際に、ケーシング本体３１ａ内部からの調和空気が当たる部分であり、フラップ本体８０における結露の発生を抑制させることができる。なお、この植毛シート８０ｙａは、図９に示すように、表面８０ｘが主として吹き出し空気流れ下流側を向いている状態において、わずかに内側寄りに設けられており、フラップ本体８０の板厚方向において植毛シート８０ｙａと凹凸形状部８０ｘａが重なる部分が少なくなるように設けられている。
【００６７】
また、フラップ本体８０の外縁形状は、表面８０ｘ側から見た外観斜視図である図１０に示すように、フラップ内側直線部８０ａ、フラップ内側湾曲部８０ｂ、フラップ長手方向端部８０ｃ、フラップ外側直線部８０ｄ、および、フラップ外側湾曲部８０ｅ等から構成されている。フラップ内側直線部８０ａは、フラップ本体８０の表面８０ｘが室内側を向いている状態でフラップ本体８０の内側に位置しており、回転軸９０ｘ方向と略平行に伸びた直線形状部分の縁である。このフラップ内側直線部８０ａは、フラップ本体８０の回転軸９０ｘの方向における中央近傍に設けられており、フラップ本体８０の長手方向の５０％程度の部分占めている。フラップ内側湾曲部８０ｂは、フラップ内側直線部８０ａの両端から、各フラップ長手方向端部８０ｃをなだらかに繋いでいる縁であり、フラップ本体８０の外側になだらかにふくらんだ形状を有している。このフラップ内側湾曲部８０ｂは、フラップ本体８０の長手方向の端部から２５％程度の部分を占めている。フラップ長手方向端部８０ｃは、回転軸９０ｘ方向に対して直行する幅方向において、すなわちフラップ内側直線部８０ａとフラップ外側直線部８０ｄとのいずれにも直行する方向において、フラップ外側直線部８０ｄ側に寄った位置に配置されている。言い換えると、フラップ本体８０の表面８０ｘ側から見た場合に、フラップ長手方向端部８０ｃとフラップ内側直線部８０ａとの幅方向の距離が、フラップ長手方向端部８０ｃとフラップ外側直線部８０ｄとの幅方向の距離よりも長くなるように設けられている。フラップ外側直線部８０ｄは、フラップ本体８０の表面８０ｘが室内側を向いている状態でフラップ本体８０の外側に位置しており、回転軸９０ｘ方向と略平行に伸びた直線形状部分の縁である。フラップ外側直線部８０ｄも、フラップ本体８０の回転軸９０ｘの中心近傍に設けられているが、フラップ内側直線部８０ａの長さよりも短く形成されている。フラップ外側湾曲部８０ｅは、フラップ外側直線部８０ｄの両端から、各フラップ長手方向端部８０ｃをフラップ内側湾曲部８０ｂよりも急激に繋いでいる縁であり、外側になだらかにふくらんだ形状を有している。
【００６８】
アーム９０は、図９に示すように、フラップ本体８０の長手方向両端部近傍において、フラップ本体８０の裏面８０ｙから遠ざかる方向に向けて、回転軸９０ｘを超える部分まで伸びている。すなわち、このアーム９０の長さは、図９に示すように、フラップ本体８０の裏面８０ｙから回転軸９０ｘまでの距離Ｄよりも長く形成されている。アーム９０は、ケーシング本体３１ａの下面視でフラップ本体８０の表面８０ｘの大部分が見えている状態において、フラップ本体８０の板厚方向よりも、やや外枠化粧パネル３８側に傾斜するように伸びている。アーム９０のフラップ本体８０側端部とは反対側の端部近傍には、図８に示すように、回転軸９０ｘに沿うように伸びている軸部材９０ａが設けられている。なお、アーム９０は、フラップ本体８０の表面８０ｘが室内側を向いている状態で、フラップ本体８０の裏面８０ｙのうち、やや下方から伸びており、フラップ本体８０の長手方向の中央近傍の幅に対して３０％程度の幅を有している。
【００６９】
これらの長辺吹出口５０と風向調節部７０との配置関係は、後述する。
【００７０】
室内ファン４１は、ケーシング本体３１ａの内部に配置された遠心送風機である。室内ファン４１は、室内の空気を化粧パネル３２の吸込口３５を通じてケーシング本体３１ａ内に吸入し、化粧パネル３２の吹出口３６を通じてケーシング本体３１ａ外へ吹き出す空気流れを形成させる。室内ファン４１は、ケーシング本体３１ａの天板３３ａの中央に設けられたファンモータ４１ａと、ファンモータ４１ａに連結されて回転駆動される羽根車４１ｂとを有している。羽根車４１ｂは、ターボ翼を有する羽根車であり、下方から羽根車４１ｂの内部に空気を吸入し、平面視における羽根車４１ｂの外周側に向かって吹き出すことができる。
【００７１】
室内熱交換器４２は、平面視における室内ファン４１の周囲を囲むように曲げられて、ケーシング本体３１ａの内部に配置されたフィンチューブ型熱交換器である。より具体的には、室内熱交換器４２は、所定間隔を空けて配置された多数の伝熱フィンと、これらの伝熱フィンを板厚方向に貫通した状態で設けられた複数の伝熱管とを有するクロスフィン型と呼ばれるフィンチューブ型熱交換器である。室内熱交換器４２の液側は、上記のように、液側接続管５ａを介して液冷媒連絡管５に接続されている。室内熱交換器４２のガス側は、ガス側接続管６ａを介してガス冷媒連絡管６に接続されている。そして、室内熱交換器４２は、冷房時には、冷媒の蒸発器として、暖房時には、冷媒の凝縮器として機能するようになっている。これにより、室内熱交換器４２は、室内ファン４１から吹き出された空気と熱交換を行って、冷房時には空気を冷却し、暖房時には空気を加熱することができるようになっている。
【００７２】
ドレンパン４０は、室内熱交換器４２の下側に配置され、室内熱交換器４２において空気中の水分が凝縮して生じるドレン水を受けとる。このドレンパン４０は、ケーシング本体３１ａの下部に装着されている。ドレンパン４０には、吹出孔４０ａと、吸入孔４０ｂと、ドレン水受け溝４０ｃが形成されている。吹出孔４０ａは、化粧パネル３２の吹出口３６に連通するように各所に形成されている。吸入孔４０ｂは、化粧パネル３２の吸込口３５に連通するように形成されている。ドレン水受け溝４０ｃは、室内熱交換器４２の下側に形成されている。
【００７３】
ベルマウス４１ｃは、ドレンパン４０の吸入孔４０ｂの内側に対応するように配置されており、吸込口３５から吸入される空気を室内ファンの羽根車４１ｂへと導く。
【００７４】
＜１−３＞制御部７
制御部７は、図１に示すように、室外ユニット２の各種構成機器を制御する室外制御部７ａ、室内ユニット４の各種構成機器を制御する室内制御部７ｂ、および、ユーザからの設定入力を受け付けるためのコントローラ７ｃを有している。
【００７５】
制御部７は、上記吹出口３６のうちの第１長辺吹出口５１、第２長辺吹出口５２、第３長辺吹出口５３、および、第４長辺吹出口５４の４つの吹出口から吹き出される調和空気の風向を、第１風向調節部７１、第２風向調節部７２、第３風向調節部７３および第４風向調節部７４を各風向調節部７０毎に独立させて回転状態を変化させる制御を行うことによりそれぞれ独立に調節する独立風向制御と、第１風向調節部７１、第２風向調節部７２、第３風向調節部７３および第４風向調節部７４の全てを連動させて同様の回動状態の姿勢となるように制御を行うことで連動させて調節する連動風向制御とを行う。ここで、コントローラ７ｃは、入力ボタン等を有しており、独立風向制御をおこなわせるか、連動風向制御を行わせるか、のいずれかの指示をユーザから受けることができる。そして、制御部７は、コントローラ７ｃが受け付けた独立風向制御または連動風向制御の指示に応じて、上記独立風向制御もしくは連動風向制御を行う。
【００７６】
制御部７は、上記独立風向制御および連動風向制御以外に、上記吹出口３６のうちの第１長辺吹出口５１、第２長辺吹出口５２、第３長辺吹出口５３および第４長辺吹出口５４の４つについて、第１風向調節部７１、第２風向調節部７２、第３風向調節部７３および第４風向調節部７４の各風向調節部７０の回動状態を個別に独立して調節することで姿勢を変化させることにより、特定の長辺吹出口５１〜５４からの吹き出し風量を最も低減させる個別風量抑制制御を行う。ここで、コントローラ７ｃは、上述同様に、個別風量抑制制御を行わせる旨の指示、および、長辺吹出口５０のうちの吹出口風量を抑制させようとして選択される特定の長辺吹出口５０の指定、をユーザから受けることができる。そして、制御部７は、コントローラ７ｃが個別風量抑制制御の指示を受け付けた場合に、上記特定の長辺吹出口５０からの吹き出し風量が最も低減された状態になるように、特定の長辺吹出口５０の位置に配置されている風向調節部７０を回動させることで個別風量抑制制御を行う。ここで、同時に、個別風量抑制制御によって吹き出し風量を抑制させた状態にすることができる長辺吹出口５０の数は、２以下であり、３つ以上の長辺吹出口５０について同時に個別風量抑制制御を行うことが制御部７によって禁止されている。具体的には、制御部７が、１番目および２番目に受け付けた特定の長辺吹出口５０についての個別風量抑制制御を持続させ、その後にコントローラ７ｃが受け付けた特定の長辺吹出口５０についての個別風量抑制制御の設定入力を無視するようにする。なお、コントローラ７ｃから、ユーザが特定の長辺吹出口５０についての個別風量抑制制御を解除した場合には、さらに別の長辺吹出口５０について個別風量抑制制御を行わせることができる。
【００７７】
＜２＞基本動作
次に、冷房運転および暖房運転における空気調和装置１の動作について説明する。
【００７８】
＜２−１＞冷房動作
冷房時における冷媒回路１０は、四路切換弁２２が図１の実線で示される状態となっている。また、液側閉鎖弁２５、ガス側閉鎖弁２６は開状態にされ、膨張弁２４は冷媒を減圧するように開度調節される。
【００７９】
この冷媒回路１０の状態において、低圧のガス冷媒は、圧縮機２１に吸入されて、圧縮機２１において圧縮されて高圧のガス冷媒となって、圧縮機２１から吐出される。この高圧のガス冷媒は、四路切換弁２２を通じて室外熱交換器２３に送られて、室外熱交換器２３において室外空気と熱交換を行って凝縮して高圧の液冷媒となる。この高圧の液冷媒は、膨張弁２４に送られて、膨張弁２４において減圧されて低圧の気液二相状態の冷媒となる。この低圧の気液二相状態の冷媒は、液側閉鎖弁２５、液冷媒連絡管５および液側接続管５ａを通じて室内熱交換器４２に送られて、室内熱交換器４２において室内ファン４１から吹き出される空気と熱交換を行って蒸発して低圧のガス冷媒となる。この低圧のガス冷媒は、ガス側接続管６ａ、ガス冷媒連絡管６、ガス側閉鎖弁２６および四路切換弁２２を通じて圧縮機２１に再び送られる。
【００８０】
＜２−２＞暖房動作
次に、暖房時における冷媒回路１０は、四路切換弁２２が図１の破線で示される状態となっている。また、液側閉鎖弁２５、ガス側閉鎖弁２６は開状態にされ、膨張弁２４は冷媒を減圧するように開度調節される。
【００８１】
この冷媒回路１０の状態において、低圧のガス冷媒は、圧縮機２１に吸入されて、圧縮機２１において圧縮されて高圧のガス冷媒となって、圧縮機２１から吐出される。この高圧のガス冷媒は、四路切換弁２２、ガス側閉鎖弁２６、ガス冷媒連絡管６およびガス側接続管６ａを通じて室内熱交換器４２に送られて、室内熱交換器４２において室内ファン４１から吹き出される空気と熱交換を行って凝縮して高圧の液冷媒となる。この高圧の液冷媒は、液側接続管５ａ、液冷媒連絡管５および液側閉鎖弁２５を通じて膨張弁２４に送られて、膨張弁２４において減圧されて低圧の気液二相状態の冷媒となる。この低圧の気液二相状態の冷媒は、室外熱交換器２３に送られて、室外熱交換器２３において室外空気と熱交換を行って蒸発して低圧のガス冷媒となる。この低圧のガス冷媒は、四路切換弁２２を通じて圧縮機２１に再び送られる。
【００８２】
＜３＞長辺吹出口５０と風向調節部７０との配置関係
ここでは、第１長辺吹出口５１の近傍における第１風向調節部７１の配置を述べる。なお、第２長辺吹出口５２近傍、第３長辺吹出口５３近傍および第４長辺吹出口５４近傍については第１長辺吹出口５１近傍と同様であるため、説明を省略する。
【００８３】
＜３−１＞下面視における配置関係
図１１に、第１長辺吹出口５１近傍における下面視部分拡大外観図を示す。
【００８４】
室内ユニット４の下面視において、第１長辺吹出口５１の内側には、第１風向調節部７１および風向調節駆動部９５が配置されている。
【００８５】
風向調節駆動部９５は、第１長辺吹出口５１の長手方向の両端内側であって、第１風向調節部７１の長手方向の両端外側に設けられている。この風向調節駆動部９５は、第１風向調節部７１のアーム９０から回転軸９０ｘに沿うように伸びている軸部材９０ａを介して、第１風向調節部７１と接続されており、第１風向調節部７１を回動させるための駆動力を与えている。具体的には、風向調節駆動部９５と第１風向調節部７１の軸部材９０ａとは、図示しないカム機構を構成しており、制御部７が、この風向調節駆動部９５に対して第１風向調節部７１の駆動状態を制御させるための制御信号を送ることで、カム機構を介した駆動制御が行われる。
【００８６】
第１長辺吹出口５１は、外側の縁が外枠化粧パネル３８によって構成され、内側の縁が内枠化粧パネル３７によって構成され、長手方向の端部は風向調節駆動部９５の内側側面によって構成されている。なお、第１長辺吹出口５１の長手方向の端部（風向調節駆動部９５の内側側面）における幅は、第１長辺吹出口５１の長手方向の中央近傍における幅の６０％程度となるように形成されている。具体的には、第１長辺吹出口５１の外側の縁は、外枠化粧パネル３８の外枠吹出口側直線部３８ｄおよび外枠吹出口側湾曲部３８ｅ等によって構成されている。また、第１長辺吹出口５１の内側の縁は、内枠化粧パネル３７の内枠吹出口側直線部３７ａおよび内枠吹出口側湾曲部３７ｂ等によって構成されている。これにより、第１長辺吹出口５１は、下面視において、外側に向けてややふくらみつつ、内側に向けて大きくふくらんだ形状を有している。なお、第１長辺吹出口５１の内側へのふくらみは、外側へのふくらみよりも大きくなるように形成されている。
【００８７】
外枠化粧パネル３８の外枠吹出口側直線部３８ｄは、第１長辺吹出口５１の長手方向の中央近傍に位置している。外枠化粧パネル３８の外枠吹出口側湾曲部３８ｅは、第１長辺吹出口５１の長手方向の両端近傍であって、風向調節駆動部９５の外側近傍に位置している。
【００８８】
内枠化粧パネル３７の内枠吹出口側直線部３７ａは、第１長辺吹出口５１の長手方向の中央近傍に位置している。内枠化粧パネル３７の内枠吹出口側湾曲部３７ｂは、第１長辺吹出口５１の長手方向の両端よりもやや内側寄りであって、風向調節駆動部９５の内側および風向調節駆動部９５と第１風向調節部７１との間近傍に位置している。
【００８９】
第１風向調節部７１のフラップ本体８０の外側の縁を構成しているフラップ内側直線部８０ａ、フラップ内側湾曲部８０ｂおよびフラップ長手方向端部８０ｃ等と、第１長辺吹出口５１の外側の縁を構成している外枠化粧パネル３８の外枠吹出口側直線部３８ｄおよび外枠吹出口側湾曲部３８ｅ等との、水平方向の幅は、第１長辺吹出口５１の長手方向に全般にわたって略同じ幅（約２ｃｍ）となるように配置されている。
【００９０】
第１風向調節部７１のフラップ本体８０の内側の縁を構成しているフラップ外側直線部８０ｄおよびフラップ外側湾曲部８０ｅ等と、第１長辺吹出口５１の内側の縁を構成している外枠化粧パネル３８の内枠吹出口側直線部３７ａおよび内枠吹出口側湾曲部３７ｂ等との、水平方向の幅は、第１長辺吹出口５１の長手方向に全般にわたって略同じ幅（約１ｃｍ）となるように、互いの縁が沿っているように配置されている。
【００９１】
なお、第１風向調節部７１のフラップ本体８０の内側の縁と第１長辺吹出口５１の内側の縁との間の幅は、第１風向調節部７１のフラップ本体８０の外側の縁と第１長辺吹出口５１の外側の縁との間の幅の半分以下となるように構成されている。
【００９２】
＜３−２＞風向調節部７０の中央近傍における配置関係
図１２に、第１長辺吹出口５１近傍における、図１１中のＢ−Ｂ切断面における概略断面図を示す。なお、図１２に示す風向調節部７０の姿勢は、上述した独立風向制御もしくは連動風向制御が行われている場合のフラップ本体８０の姿勢の一例でもある。
【００９３】
第１長辺吹出流路５１ａは、図１２に示すように、第１長辺吹出口５１から空気流れ上流側に向けて伸びている。第１長辺吹出口５１近傍における第１長辺吹出流路５１ａの内側壁面は、ケーシング本体３１ａの底板３３ｂによって構成されている。フラップ本体８０の長手方向の中央近傍では、この第１長辺吹出流路５１ａの内側壁面は、図１２に示すように、曲率半径の中心が回転軸９０ｘ側に位置するように湾曲した形状となっており、第１長辺吹出口５１に近づくにつれて外側に位置するように形成されている。フラップ本体８０の長手方向の中央近傍では、この第１長辺吹出流路５１ａの外側壁面は、図１２に示すように、曲率半径の中心が回転軸９０ｘ側とは反対側に位置するように内側壁面の間隔が保たれるように湾曲した形状となっており、第１長辺吹出口５１に近づくにつれて外側に位置するように形成されている。なお、第１長辺吹出流路５１ａの中央近傍は、吹き出し方向端部の第１長辺吹出口５１部分における内側壁面および外側壁面の傾斜角度θ１１が、水平方向に対して４０度程度に傾斜しており、より外側に向けて吹き出し空気を導くことができるようになっている。
【００９４】
回転軸９０ｘは、第１長辺吹出流路５１ａの端部に位置している第１長辺吹出口５１よりも、空気流れ方向上流側に位置している。また、この回転軸９０ｘは、第１長辺吹出流路５１ａの内側壁面側よりも、第１長辺吹出流路５１ａの外側壁面側に近くなるように配置されている。
【００９５】
アーム９０は、第１風向調節部７１の回転状態のうち最も第１長辺吹出口５１に近づく回転状態においても、第１長辺吹出流路５１ａの端部に位置している第１長辺吹出口５１と略重なる位置もしくは空気流れ上流側に位置している。
【００９６】
フラップ本体８０の中央近傍における幅方向の長さは、図１２に示すように、回転軸９０ｘとフラップ本体８０の幅方向の一端側とを結ぶラインと、回転軸９０ｘとフラップ本体８０の幅方向の他端側とを結ぶラインと、がなす角度θ１が１３５度程度となるように設けられている。
【００９７】
なお、独立風向制御もしくは連動風向制御が行われている際に、風向調節部７０のフラップ本体８０は、表面８０ｘのうちの中央近傍部分の水平面に対する傾斜角度が３０度程度である状態（図１２に相当）を基準として、プラス３０度程度およびマイナス３０度程度の範囲内で、風向調節駆動部９５によってスイング運転される。
【００９８】
＜３−３＞風向調節部７０の端部近傍における配置関係
図１３に、第１長辺吹出口５１近傍における、図１１中のＣ−Ｃ切断面における概略断面図を示す。
【００９９】
フラップ本体８０の長手方向の端部近傍では、第１長辺吹出流路５１ａの内側壁面は、図１３に示すように、第１長辺吹出口５１に近づくにつれて外側に位置するように形成された平面形状となっており、上述した中央近傍における湾曲形状とは異なっている。また、フラップ本体８０の長手方向の端部近傍では、第１長辺吹出流路５１ａの外側壁面は、内側壁面と同様であり、図１３に示すように、第１長辺吹出口５１に近づくにつれて外側に位置するように形成された平面形状となっており、上述した中央近傍における湾曲形状とは異なっている。この第１長辺吹出流路５１ａの内側壁面および外側壁面の形状は、フラップ本体８０の長手方向の中心近傍における形状と、フラップ本体８０の長手方向の端部近傍における形状とが、フラップ本体８０の長手方向の位置に応じて徐々に変化するように形成されている。なお、第１長辺吹出流路５１ａの端部近傍は、吹き出し方向端部の第１長辺吹出口５１部分における内側壁面および外側壁面の傾斜角度θ２１が、水平方向に対して５５度程度に傾斜しており、向けて吹き出し空気をより下方に導くことができるようになっている。
【０１００】
フラップ本体８０の端部近傍における幅方向の長さは、図１３に示すように、回転軸９０ｘとフラップ本体８０の幅方向の一端側とを結ぶラインと、回転軸９０ｘとフラップ本体８０の幅方向の他端側とを結ぶラインと、がなす角度θ２が７５度程度となるように設けられている。言い換えると、フラップ本体８０の端部近傍における幅方向の長さは、フラップ本体８０の中央近傍における幅方向の長さの４０％程度となるように構成されている。
【０１０１】
＜４＞長辺吹出口５０と風向調節部７０との運転停止時の配置関係
ユーザからの運転停止（冷房動作や暖房動作等を行わない状態）の指示をコントローラ７ｃが受け付けると、制御部７は、上記風向調節駆動部９５に制御信号を送り、風向調節部７０の全て、すなわち、第１風向調節部７１、第２風向調節部７２、第３風向調節部７３および第４風向調節部７４のいずれについても、回動させることで、表面８０ｘの中心が略鉛直下向きとなるように調節する。
【０１０２】
これにより、停止時には、室内ユニット４の下面視において、長辺吹出口５０内が風向調節部７０によって最も覆われているように見え、化粧パネル３２と風向調節部７０との一体感を向上させることができる。これにより、運転停止時の室内ユニット４の意匠性を向上させることができるとともに、ユーザは運転停止状態にあることを容易に把握することができる。
【０１０３】
＜５＞長辺吹出口５０と風向調節部７０との個別風量抑制制御時の配置関係
図１４に、風量抑制制御のイメージ図を示す。
【０１０４】
特定の長辺吹出口５０から吹き出される風量を抑制する旨の指示をユーザからコントローラ７ｃが受け付けると、制御部７は、上記風向調節駆動部９５のうち、ユーザによって指示された特定の長辺吹出口５０に対応する位置に設けられた風向調節部７０の回動状態を制御する風向調節駆動部９５に向けて制御信号を送る。これにより、制御信号を受けた風向調節駆動部９５は、自己が回動状態を制御する風向調節部７０を回動させて、ユーザによって特定された長辺吹出口５０から吹き出される空気量を制限させる姿勢に調節する。例えば、図１４に示すように、室内ユニット４が室内の壁面Ｗの近くであってユーザＰ１およびユーザＰ２の近くに配置されている場合に、ユーザＰ２側に吹き出す空気量を抑制させる旨の指示をコントローラ７ｃが受け付けると、制御部７は、上述した個別風量抑制制御を行うことで、壁面Ｗ側へと第３長辺吹出口５３から吹き出される空気流れＦ５３の量を低減させつつ、ユーザＰ２側へと第２長辺吹出口５２から吹き出される空気流れＦ５２の量も低減させた状態とする。これにより、ユーザが存在していない壁面Ｗ側への調和空気の無駄な提供を低減させることができ、ユーザＰ２の望む風量を実現させることができる。例えば、ユーザＰ２による指示は、ドラフト感の低減を望んでいる場合や、冷房もしくは暖房によって冷え過ぎると感じたり暑過ぎると感じたりしている場合等が含まれる。
【０１０５】
図１５に、個別風量抑制制御時における風向調節部７０の傾斜状態の一例を示す図１１中のＢ−Ｂ切断面に相当する断面図を示す。
【０１０６】
個別風量抑制制御が行われるフラップ本体８０は、表面８０ｘが、第１長辺吹出流路５１ａの空気流れ上流側に向いた状態となるように、風向調節駆動部９５によって調節される。具体的には、表面８０ｘのうちの中央近傍部分の水平面に対する傾斜角度θ３（内側の角度）が１１０度程度である状態（図１５に相当）となるように、風向調節駆動部９５によって調節される。これにより、個別風量抑制制御がされた長辺吹出口５０からの吹き出し空気量を低減させることができる。なお、この個別風量抑制制御時の傾斜角度は、この１１０度程度の角度から、プラス５度程度およびマイナス５度程度の範囲内で、微調節される。
【０１０７】
なお、この個別風量抑制制御が行われた状態において、第１長辺吹出流路５１ａの外枠化粧パネル３８側の壁面とフラップ本体８０の上方側の端部との間（図１５中Ｓ１で示す部分）には５ｍｍ〜１０ｍｍ程度の隙間が確保され、吹き出し空気がわずかに流れるようになっている。
【０１０８】
また、この個別風量抑制制御が行われた状態において、フラップ本体８０の下方側の端部（図１５中Ｓ２で示す部分）は、第１長辺吹出口５１よりも、第１長辺吹出流路５１ａの空気流れ上流側に位置している。これにより、フラップ本体８０は、室内ユニット４内部で温度調節された調和空気で周囲全体を概ね覆うことができ、温度調節されていない室内側の空気はフラップ本体８０に触れにくくすることができる。このため、個別風量抑制制御によって長辺吹出口５０からの吹き出し空気量が低減された状態でも、温度調節されていない室内空気がフラップ本体８０に到達しにくくすることができ、フラップ本体８０での結露の発生を抑制させることができている。
【０１０９】
＜６＞本実施形態の特徴
（１）
従来の空気調和装置の室内機は、例えば、図１６に示す室内ユニット９０４のように、吹出口９５１が四角形状であり、フラップ本体９８０も吹出口に対応するように四角形状となっている。このため、吹出口９５１の中央近傍から吹き出される空気流れには吹出口９５１の壁面からの大きな空気抵抗が作用してしまっている。
【０１１０】
これに対して、本実施形態の空気調和装置１の室内ユニット４では、長辺吹出口５０の長手方向中央部分の幅が大きくなるように形成されている。このため、長辺吹出口５０の中央近傍を通過して吹き出される空気流れの気流束を太くし、初速度を維持しやすくすることができ、調和空気の到達距離を増大させることができている。
【０１１１】
（２）
本実施形態の空気調和装置１の室内ユニット４では、第１長辺吹出流路５１ａ等の中央近傍では、第１長辺吹出流路５１ａ等の端部近傍と比較して、吹き出し出口近傍における内側壁面および外側壁面の水平面に対する傾斜角度が小さくなるように構成されている。これにより、第１長辺吹出流路５１ａ等の中央近傍から吹き出される空気を、より遠くへ到達させることができるようになっている。
【０１１２】
（３）
従来の天井に埋め込まれるようにして設置され、調和空気の吹出口と天井面とが近接しているタイプの室内ユニットでは、調和空気を略水平方向に吹き出そうとすると天井面に沿うように気流が生じ、気流に沿うようにして天井面に汚れが生じやすい。特に、吹出口の長手方向の両端部近傍において、気流の乱れが生じ、汚れが顕著になることがあった。
【０１１３】
これに対して、本実施形態の空気調和装置１の室内ユニット４では、第１長辺吹出流路５１ａ等の中央近傍から吹き出される空気流れ方向は、第１長辺吹出流路５１ａ等の端部近傍から吹き出される空気流れ方向よりも、天井Ｕ面に沿う向きになっている。しかし、上述したように、第１長辺吹出流路５１ａ等の中央近傍から吹き出される空気流れは、気流束が太く、初速度が維持されやすい為、第１長辺吹出口５１等の中央近傍付近の天井面付近の気流の乱れを小さくすることができている。これにより、第１長辺吹出口５１等の中央近傍から吹き出される空気による天井汚れを抑制させることができている。
【０１１４】
（４）
本実施形態の空気調和装置１の室内ユニット４では、長辺吹出口５０の長手方向端部近傍は、長辺吹出口５０の長手方向の中央近傍と比較して、幅方向の長さが短く形成されているため、空気流れが遅い。このように空気流れが遅い部分では、天井Uの面に沿うように空気が対流しがちになる。
【０１１５】
これに対して、本実施形態の空気調和装置１の室内ユニット４では、第１長辺吹出流路５１ａ等の長手方向の端部近傍における出口近傍の壁面の傾斜角度が、第１長辺吹出流路５１ａ等の長手方向の中央近傍における出口付近の壁面の傾斜角度よりも、きつくなるように形成されている。これにより、長辺吹出口５０の長手方向の端部近傍から吹き出される調和空気が、長辺吹出口５０の長手方向の中央近傍から吹き出される調和空気よりも、天井Uの面から離れる方向（より鉛直下方側）に案内させることができている。これにより、長辺吹出口５０の端部近傍で生じる天井汚れを抑制させることができる。
【０１１６】
（５）
本実施形態の空気調和装置１の室内ユニット４では、上述のように、長辺吹出口５０の中央近傍を通過して吹き出される空気流れの気流束を太くし、初速度を維持しやすくするための、長辺吹出口５０の中央近傍の幅方向の距離の増大を、長辺吹出口５０を吸込口３５側に近づくように膨出して形成されることにより実現している。
【０１１７】
このため、長辺吹出口５０を外側に膨出させるように形成させた場合と比較して、空気調和装置１の室内ユニット４の水平方向の大型化を抑制することができている。
【０１１８】
（６）
本実施形態の空気調和装置１の室内ユニット４では、長辺吹出口５０を内側に膨出させるように形成させており、第１風向調節部７１のフラップ本体８０の内側の縁と第１長辺吹出口５１の内側の縁との間の幅が、第１風向調節部７１のフラップ本体８０の外側の縁と第１長辺吹出口５１の外側の縁との間の幅の半分以下となるように構成されている。
【０１１９】
このため、長辺吹出口５０を内側に膨出させるように形成させたことに伴う吸い込み空気と吹き出し空気との間で生じうるショートサーキットを抑制させることができている。
【０１２０】
（７）
本実施形態の空気調和装置１の室内ユニット４では、長辺吹出口５０は、長手方向の端部に近づくほど吹き出し風速が小さくなって、ショートサーキットを生じやすい形状となっている。
【０１２１】
これに対して、本実施形態の空気調和装置１の室内ユニット４では、長辺吹出口５０が長手方向の端部に向かうにつれて吸込口３５からの距離が遠くなるように形成されている。このため、長辺吹出口５０の長手方向の端部近傍において生じうるショートサーキットを効果的に抑制させることができている。
【０１２２】
（８）
従来の空気調和装置の室内機は、例えば、図１７に示す化粧パネル９３２の下面視に示すような、吸込口９３５、吹出口９５１およびフラップ９８０を有している。吹出口９５１は、吹出口９５１の内側の縁が急激に窪むように形成された吹出口切り欠き部９５１ｂを有している。フラップ９８０は、フラップ９８０の外側の縁が急激に窪むように形成されたフラップ切り欠き部９８０ｂを有している。この場合、フラップ切り欠き部分９８０ｂにおける気流の流れ方向と、フラップ切り欠き部９８０ｂ以外の部分における気流の流れ方向と、が異なることで気流が乱れており、フラップ切り欠き部分９８０ｂおよびその付近やその近傍の吹出口９５１の縁において結露が発生する場合がある。
【０１２３】
これに対して、本実施形態の空気調和装置１の室内ユニット４では、風向調節部７０のフラップ本体８０は、長手方向の端部近傍において吸込口３５側を切り欠くような形状とすることなく、長辺吹出口５０の形状に沿うように、吸込口３５側の膨らみ度合いを上げている。このため、気流の流れ方向が急激に変わることが無く、気流の乱れを抑え、結露の発生を低減することができる。
【０１２４】
（９）
従来の室内機の風向調節フラップは、運転停止時においても吹出口の縁に沿うように覆う構成が採用されていなかったため、室内にいるユーザはこの吹出口と風向調節フラップとの間の不均一な隙間等を介して室内機の中身が見えてしまっており、意匠性が悪かった。
【０１２５】
これに対して、本実施形態の空気調和装置１の室内ユニット４では、運転停止時には、室内ユニット４の下面視において、長辺吹出口５０内は、風向調節部７０によって最も広い面積が覆われており、室内にいるユーザは室内ユニット４の内部が見えにくいようになっている。しかも、フラップ本体８０の外縁が長辺吹出口５０の縁に沿うような形状となっており、化粧パネル３２と風向調節部７０との一体感を向上させることができている。これにより、運転停止時の室内ユニット４の意匠性を向上させることができている。
【０１２６】
（１０）
本実施形態の空気調和装置１の室内ユニット４では、長辺吹出口５０と短辺吹出口６０とが交互に並んで、吸込口３５を取り囲むように配置されている。これにより、室内ユニット４の周囲に調和空気をまんべんなく提供することができる。
【０１２７】
なお、長辺吹出口５０のみが設けられて、短辺吹出口６０が設けられていないタイプの室内ユニットと比較すると、このような短辺吹出口６０が設けられることで調和空気が吹き出される場所の数や合計面積が大きくなっており、風向調節部７０が設けられた長辺吹出口５０を通過する調和空気の初速度が低下してしまうおそれがある。
【０１２８】
しかし、この場合であっても、本実施形態の空気調和装置１の室内ユニット４では、長辺吹出口５０の形状について、中央近傍の幅が膨らんだ形状を採用していることで、長辺吹出口５０からの調和空気の初速度の低下程度を小さく抑えることができている。
【０１２９】
＜７＞他の実施形態
（Ａ）
上記実施形態では、第１長辺吹出口５１等の長手方向の端部における幅が、第１長辺吹出口５１等の長手方向の中央近傍における幅の６０％程度となるように形成されている場合を例に挙げて説明した。
【０１３０】
しかし、本発明はこれに限られるものではなく、例えば、４０％から８０％の間であれば、ショートサーキットの抑制と意匠性の観点から好ましい効果を得ることができる。
【０１３１】
（Ｂ）
上記実施形態では、フラップ本体８０の端部近傍における幅方向の長さが、フラップ本体８０の中央近傍における幅方向の長さの４０％程度となるように構成されている場合を例に挙げて説明した。
【０１３２】
しかし、本発明は、これに限られるものではなく、例えば、２０％から６０％の間であれば、ショートサーキットの抑制と意匠性の観点から好ましい効果を得ることができる。
【０１３３】
（Ｃ）
上記実施形態では、８方向に調和空気を吹き出す室内ユニット４を例に挙げて説明した。
【０１３４】
しかし、本発明は、これに限られるものではなく、例えば、上記実施形態において短辺吹出口６０が設けられていない吹き出し方向が長辺吹出口５０の４つのみの構成であってもよい。また、吹き出し口が２つのものであってもよい。
【産業上の利用可能性】
【０１３５】
本発明は、室内機の下面の大型化とショートサーキットとを抑制させながら、吹出口から吹き出される調和空気の到達距離を増大させることが可能なため、空気調和装置の室内機において特に有用である。
【符号の説明】
【０１３６】
１  空気調和装置
４  室内ユニット（室内機）
７  制御部（風向調節制御部）
３１  室内機ケーシング
３５  吸込口
３７ａ  内枠吹出口側直線部（直線形上部分）
５０  長辺吹出口（吹出口）
６０  短辺吹出口（連続吹出口）
７０  風向調節部（風向調節部材）
８０ａ  フラップ内側直線部（直線形状部分）
【先行技術文献】
【特許文献】
【０１３７】
【特許文献１】特開２００２−３４９８９２号公報
【図１】
2011099612.tif 000003
【図２】
2011099612.tif 000004
【図３】
2011099612.tif 000005
【図４】
2011099612.tif 000006
【図５】
2011099612.tif 000007
【図６】
2011099612.tif 000008
【図７】
2011099612.tif 000009
【図８】
2011099612.tif 000010
【図９】
2011099612.tif 000011
【図１０】
2011099612.tif 000012
【図１１】
2011099612.tif 000013
【図１２】
2011099612.tif 000014
【図１３】
2011099612.tif 000015
【図１４】
2011099612.tif 000016
【図１５】
2011099612.tif 000017
【図１６】
2011099612.tif 000018
【図１７】
2011099612.tif 000019